(57)【要約】【課題】  煩雑なユーザ操作を必要とすることなく、ロック解除操作によって通常モードに切り替えることができる携帯情報端末を提供する。【解決手段】  非ロック状態Ｓ３では、通常画面ＮＳを表示し、ロック状態Ｓ２では、ロック画面ＲＳを表示する表示制御部１０６と、ロック画面ＲＳ上の通常スライダー３に対するユーザ操作に基づいて、タッチパネル１１を非ロック状態Ｓ３に遷移させる第１のロック解除部１０１と、ロック画面ＲＳ上の省電力解除スライダー５に対するユーザ操作に基づいて、タッチパネル１１を非ロック状態Ｓ３に遷移させるとともに動作モードを通常モードＲＭに切り替える第２のロック解除部１０２と、内蔵電池１５の電池残量Ａｈを検出する電池残量検出部２２により構成される。表示制御部１０６は、電池残量Ａｈ及び動作モードに基づいて、省電力解除スライダー５をロック画面ＲＳ上に表示する。【選択図】  図３
2014137753.tif 000002
【特許請求の範囲】
【請求項１】
通常モード及び上記通常モードよりも消費電力を低減させた省電力モード間で動作モードを切替可能な携帯情報端末において、
表示面上に画像を表示するとともに、上記表示面へのタッチ操作を検出するタッチパネルと、
非ロック状態では、アプリケーションプログラム又はコンテンツデータを選択するためのメニュー画面を上記表示面に表示し、ロック状態では、ロック画面を上記表示面に表示する表示制御手段と、
上記ロック画面上の第１のロック解除操作子に対するユーザ操作に基づいて、上記タッチパネルを非ロック状態に遷移させる第１のロック解除手段と、
上記ロック画面上の第２のロック解除操作子に対するユーザ操作に基づいて、上記タッチパネルを非ロック状態に遷移させるとともに、動作モードを上記通常モードに切り替える第２のロック解除手段と、
内蔵電池の電池残量を検出する電池残量検出手段とを備え、
上記表示制御手段は、上記電池残量及び上記動作モードに基づいて、第２のロック解除操作子を上記ロック画面上に表示することを特徴とする携帯情報端末。
【請求項２】
上記ロック画面上の第３のロック解除操作子に対するユーザ操作に基づいて、上記タッチパネルを非ロック状態に遷移させるとともに、動作モードを上記省電力モードに切り替える第３のロック解除手段を備え、
上記表示制御手段は、上記電池残量及び上記動作モードに基づいて、第２のロック解除操作子及び第３のロック解除操作子のいずれか一方を上記ロック画面上に表示することを特徴とする請求項１に記載の携帯情報端末。
【請求項３】
上記表示制御手段は、上記電池残量を第１閾値及び第１閾値よりも小さい第２閾値と比較した比較結果に基づいて、第２のロック解除操作子及び第３のロック解除操作子のいずれか一方を上記ロック画面上に表示することを特徴とする請求項２に記載の携帯情報端末。
【請求項４】
上記内蔵電池が充電中であるか否かを判別する充電状態判別手段を備え、
上記表示制御手段は、上記電池残量を第１閾値及び第２閾値と比較した比較結果と、上記内蔵電池が充電中であるか否かの判別結果とに基づいて、第２のロック解除操作子及び第３のロック解除操作子のいずれか一方を上記ロック画面上に表示することを特徴とする請求項３に記載の携帯情報端末。
【請求項５】
上記表示制御手段は、上記省電力モードであり、かつ、上記電池残量が第１閾値以上である場合と、上記省電力モードであり、かつ、上記内蔵電池が充電中である場合とに、第２のロック解除操作子を上記ロック画面上に表示することを特徴とする請求項４に記載の携帯情報端末。
【発明の詳細な説明】
【技術分野】
【０００１】
本発明は、携帯情報端末に係り、さらに詳しくは、表示面へのタッチ操作を検出するタッチパネルを備えた携帯情報端末の改良に関する。
【背景技術】
【０００２】
携帯電話機、タブレット端末、ＰＤＡ（Personal Digital Assistant）などの携帯情報端末には、表示面上に画像を表示するとともに、表示面へのタッチ操作を検出するタッチパネルを備えたものが少なくない。この種の携帯情報端末には、無駄な電力消費による内蔵電池の消耗を抑制するために、一定時間操作が行われなければスリープ状態に自動的に遷移させる機能が設けられている。スリープ状態では、タッチパネルへの電源供給が遮断され、スリープ状態の解除には、タッチパネルとは別個に設けられた操作キーを押下する必要がある。
【０００３】
通常、スリープ状態の解除後は、タッチパネルのロック状態であり、ユーザにロック解除操作を促すためのロック画面が表示面に表示される。例えば、ロック画面上の操作子に対し所定の操作を行うことにより、タッチパネルは、非ロック状態に遷移し、各種のアプリケーションプログラム又はコンテンツデータを選択するためのメニュー画面が表示面に表示される。ロック画面上の操作子に対する所定の操作以外の操作ではロック状態を解除することはできず、また、一定時間操作が行われなければスリープ状態に遷移する。
【０００４】
上述した操作子に対する所定の操作からなるロック解除操作は、携帯情報端末を使用するたびに繰り返されるユーザ操作であることから、ロック解除操作によってロック解除以外の処理も実行させることができれば、ユーザの利便性を向上させることができる。例えば、ロック画面上にロック解除用のアイコンを表示し、アイコンを操作することにより、タッチパネルを非ロック状態に遷移させるとともに、動作モードをマナーモードに切り替える携帯端末が提案されている（例えば、特許文献１）。
【先行技術文献】
【特許文献】
【０００５】
【特許文献１】特開２０１２−９５０６９号公報
【特許文献２】特開２０１２−１３３７８７号公報
【発明の概要】
【発明が解決しようとする課題】
【０００６】
最近の携帯情報端末では、高機能化、大画面化に伴って消費電力が増大し、内蔵電池が早く消耗してしまうという問題があった。このため、不必要な電力消費を抑制することにより、１回の充電によって使用できる時間を長くすることが重要になってきている。そこで、通常モードと通常モードよりも消費電力を低減させた省電力モードとの間で動作モードを切り替えることが可能な携帯情報端末では、タッチパネルのロック解除と同時に動作モードを省電力モード及び通常モード間で切り替えることが考えられる。
【０００７】
通常、動作モードの切替は、操作キーの押下操作によってメニュー画面を表示させ、表示面へのタッチ操作によって所望のメニュー項目を選択するという一連のユーザ操作によって行われる。このため、ロック解除操作によって動作モードを省電力モード及び通常モード間で切り替えることにより、煩雑なユーザ操作を行わなくても動作モードを切り替えることができる。
【０００８】
しかしながら、内蔵電池の電池残量が少ないにもかかわらずロック解除操作によって動作モードを通常モードに切り替えれば、消費電力の増大によって内蔵電池の消耗が早くなってしまうという問題がある。また、携帯情報端末の使用環境によっては、内蔵電池が十分な電池残量を有する状態であっても、省電力モードを維持することによって携帯情報端末の使用可能な時間を十分に確保することが望ましい場合がある。例えば、屋外での使用時など、充電が困難な環境下で長時間の使用が見込まれるような場合が考えられる。この様な場合には、電池残量が多いからといってロック解除操作によって動作モードを通常モードに切り替えれば、利便性が著しく損なわれてしまうという問題もある。
【０００９】
本発明は、上記事情に鑑みてなされたものであり、煩雑なユーザ操作を必要とすることなく、ロック解除操作によって動作モードを通常モードに切り替えることができる携帯情報端末を提供することを目的とする。特に、内蔵電池の電池残量に応じて、動作モードを通常モードに切り替えることができる携帯情報端末を提供することを目的とする。また、ロック解除と共に動作モードを通常モードに切り替えるか否かを選択することができる携帯情報端末を提供することを目的とする。
【課題を解決するための手段】
【００１０】
本発明による携帯情報端末は、通常モード及び上記通常モードよりも消費電力を低減させた省電力モード間で動作モードを切替可能な携帯情報端末であって、表示面上に画像を表示するとともに、上記表示面へのタッチ操作を検出するタッチパネルと、非ロック状態では、アプリケーションプログラム又はコンテンツデータを選択するためのメニュー画面を上記表示面に表示し、ロック状態では、ロック画面を上記表示面に表示する表示制御手段と、上記ロック画面上の第１のロック解除操作子に対するユーザ操作に基づいて、上記タッチパネルを非ロック状態に遷移させる第１のロック解除手段と、上記ロック画面上の第２のロック解除操作子に対するユーザ操作に基づいて、上記タッチパネルを非ロック状態に遷移させるとともに、動作モードを上記通常モードに切り替える第２のロック解除手段と、内蔵電池の電池残量を検出する電池残量検出手段とを備え、上記表示制御手段が、上記電池残量及び上記動作モードに基づいて、第２のロック解除操作子を上記ロック画面上に表示するように構成される。
【００１１】
この様な構成によれば、内蔵電池の電池残量と動作モードとに応じて、第２のロック解除操作子がロック画面上に表示されるので、動作モードが省電力モードであり、かつ、十分な電池残量がある場合に、第２のロック解除操作子をロック画面に表示させることができる。この場合、煩雑なユーザ操作を行わなくても、第２のロック解除操作子に対し所定の操作を行うことにより、ロック解除と共に動作モードを通常モードに切り替えることができる。また、第１のロック解除操作子に加えて第２のロック解除操作子が表示されるので、ユーザは、ロック解除のみ行うのか、或いは、ロック解除と共に動作モードを通常モードに切り替えるのかを選択することができる。
【発明の効果】
【００１２】
本発明による携帯情報端末では、煩雑なユーザ操作を必要とすることなく、ロック解除操作によって動作モードを通常モードに切り替えることができる。特に、内蔵電池の電池残量に応じて、動作モードを通常モードに切り替えることができる。従って、内蔵電池が十分な電池残量を有する状態であるにもかかわらず、省電力モードが維持され続けるのを防止することができる。また、ロック解除と共に動作モードを通常モードに切り替えるか否かを選択することができる。従って、携帯情報端末の使用環境に応じて、動作モードを通常モードに切り替えることができる。
【図面の簡単な説明】
【００１３】
【図１】本発明の実施の形態による携帯情報端末の一構成例を示した斜視図であり、携帯情報端末の一例として携帯電話機１が示されている。
【図２】図１の携帯電話機１の動作状態の変化の一例を示した状態遷移図である。
【図３】図１の携帯電話機１のタッチパネル１１に表示される通常画面ＮＳ及びロック画面ＲＳ１〜ＲＳ３の一例を示した図である。
【図４】図１の携帯電話機１内の機能構成の一例を示したブロック図である。
【図５】図４のプロセッサ２０の構成例を示したブロック図である。
【図６】図５のプロセッサ２０におけるロック画面の表示処理の一例を示したフローチャートであり、動作モードが通常モードＲＭである場合の処理手順が示されている。
【図７】図５のプロセッサ２０におけるロック画面の表示処理の一例を示したフローチャートであり、動作モードが省電力モードＥＭである場合の処理手順が示されている。
【発明を実施するための形態】
【００１４】
＜携帯電話機１＞
図１は、本発明の実施の形態による携帯情報端末の一構成例を示した斜視図であり、携帯情報端末の一例として、タッチパネル１１を備えた携帯電話機１が示されている。この携帯電話機１は、略矩形の操作面を有する薄型筐体１０からなり、通話時には縦長状態になる上記操作面には、タッチパネル１１、受話用のレシーバ１２、送話用のマイクロホン１３及び操作キー１４ａ〜１４ｃが設けられている。また、薄型筐体１０内には、内蔵電池１５が収容されている。
【００１５】
レシーバ１２は、薄型筐体１０の長手方向の一方の端部に配置され、マイクロホン１３及び操作キー１４ａ〜１４ｃは、他方の端部に配置されている。内蔵電池１５は、繰り返し充放電可能な二次電池である。
【００１６】
タッチパネル１１は、表示面上に画像を表示するための表示装置１１ｂと、上記表示面へのタッチ操作を検出するタッチパネルセンサ１１ａにより構成される。例えば、表示装置１１ｂは、ＬＣＤ（液晶ディスプレイ）と、ＬＣＤを背面側から照明するためのバックライトにより構成される。タッチパネルセンサ１１ａは、表示面に対するタッチ操作の操作位置を検出する操作入力装置である。例えば、タッチパネルセンサ１１ａには、静電容量方式のセンサが用いられる。
【００１７】
レシーバ１２は、受話音を出力するための音声出力装置である。マイクロホン１３は、送話音を入力するための音声入力装置である。操作キー１４ａ〜１４ｃは、いずれもユーザの押下操作を検出する接点式スイッチからなり、各種機能が割り当てられる。例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。ホーム画面は、アプリケーションプログラムを選択するためのプログラム選択画面の一つである。
【００１８】
この携帯電話機１では、無駄な電力消費による内蔵電池１５の消耗を抑制するために、一定時間操作が行われなければスリープ状態Ｓ１に自動的に遷移させる機能が設けられている。このスリープ状態Ｓ１は、操作キー１４ａ〜１４ｃの押下操作に基づいて解除される。スリープ状態Ｓ１の解除後は、タッチパネル１１のロック状態Ｓ２であり、ロック画面ＲＳが表示装置１１ｂに表示される。ロック状態Ｓ２の解除後は、通常画面ＮＳが表示装置１１ｂに表示される。
【００１９】
＜スリープ状態Ｓ１，ロック状態Ｓ２及び非ロック状態Ｓ３＞
図２は、図１の携帯電話機１の動作状態の変化の一例を示した状態遷移図である。この携帯電話機１は、その動作状態がスリープ状態Ｓ１、ロック状態Ｓ２又は非ロック状態Ｓ３のいずれかに遷移可能である。スリープ状態Ｓ１は、タッチパネル１１のバックライトを消灯して表示を行わない端末状態であり、上記動作状態の中では最も消費電力が少ない。例えば、スリープ状態Ｓ１では、タッチパネル１１への電源供給が遮断される一方、通信回路などの一部のデバイスには電源供給が行われる。
【００２０】
スリープ状態Ｓ１において、所定のスリープ解除操作を行えば、動作状態をロック状態Ｓ２に移行させることができる。例えば、いずれかの操作キー１４ａ〜１４ｃに対し押下操作を行うことにより、携帯電話機１の動作状態はロック状態Ｓ２に遷移する。ロック状態Ｓ２は、ロック画面ＲＳを表示装置１１ｂに表示し、ロック解除操作以外のユーザ操作を受け付けない端末状態である。ロック画面ＲＳには、ロック解除のためのロック解除操作子が表示される。ロック解除操作は、ロック解除操作子に対する所定の操作からなる。
【００２１】
ロック状態Ｓ２において、ロック解除操作を行えば、タッチパネル１１のロックが解除される。すなわち、ロック解除操作を行うことにより、携帯電話機１の動作状態は非ロック状態Ｓ３に遷移する。非ロック状態Ｓ３は、通常画面ＮＳを表示装置１１ｂに表示し、任意のユーザ操作を受け付ける端末状態である。
【００２２】
ただし、ロック状態Ｓ２又は非ロック状態Ｓ３のいずれの動作状態であっても、一定時間操作を行わなければ、携帯電話機１の動作状態はスリープ状態Ｓ１に遷移する。すなわち、ロック状態Ｓ２又は非ロック状態Ｓ３において、一定時間以上無操作状態が継続すれば、動作状態はスリープ状態Ｓ１に移行する。
【００２３】
携帯電話機１では、スリープ状態Ｓ１から非ロック状態Ｓ３に遷移させるのに、操作キー１４ａ〜１４ｃの押下操作と、ロック画面ＲＳ上の操作子に対する所定の操作とからなる一連のユーザ操作を要求することにより、無駄な電力消費を抑制しつつ、ユーザの意思に反してアプリケーションプログラムやコンテンツデータが選択されるのを防止している。
【００２４】
また、ロック解除時に認証処理が行われる場合には、ロック解除操作によって認証画面が表示され、パスワード認証などの認証処理が行われる。この場合、非ロック状態Ｓ３への移行は、当該認証処理に成功した場合にのみ行われる。
【００２５】
この携帯電話機１は、通常モードＲＭと、通常モードＲＭよりも消費電力を低減させた省電力モードＥＭとの間で動作モードを切り替えることができる。省電力モードＥＭは、周辺回路などの一部のデバイスの機能を停止し、或いは、制限したり、アプリケーションプログラムの動作を停止し、或いは、制限したりすることにより、電力消費の少ない動作モードである。また、通常モードＲＭに比べて、ＣＰＵなどのプロセッサの動作速度を遅くし、或いは、表示装置１１ｂのバックライトの輝度を下げた動作モードを省電力モードＥＭとしても良い。
【００２６】
通常モードＲＭ及び省電力モードＥＭの切替は、操作キー１４ｃの押下操作によってメニュー画面を表示させ、表示面へのタッチ操作によって所望のメニュー項目を選択するという一連のユーザ操作によって行うことができる。しかし、その様な一連のユーザ操作を行うことは、ユーザにとって煩雑であり、操作性が良くなかった。
【００２７】
そこで、本実施の形態による携帯電話機１では、タッチパネル１１のロック解除と同時に動作モードを通常モードＲＭ及び省電力モードＥＭ間で切り替えることができる。すなわち、煩雑なユーザ操作を必要とすることなく、ロック画面ＲＳ上のロック解除操作子に対しタッチ操作を行うだけで、動作モードを通常モードＲＭ及び省電力モードＥＭ間で切り替えることができる。この様な動作モードを切り替えられるロック解除操作子は、内蔵電池１５の電池残量と動作モードとに基づいて表示される。
【００２８】
＜通常画面ＮＳ及びロック画面ＲＳ１〜ＲＳ３＞
図３は、図１の携帯電話機１のタッチパネル１１に表示される通常画面ＮＳ及びロック画面ＲＳ１〜ＲＳ３の一例を示した図である。図中の（ａ）には、非ロック状態Ｓ３において表示される通常画面ＮＳが示されている。
【００２９】
通常画面ＮＳは、非ロック状態Ｓ３のときに表示される画面であり、ロック解除の直後は、図に示したようなプログラム選択画面が表示される。このプログラム選択画面は、アプリケーションプログラムが対応づけられたメニュー項目２からなるメニュー画面であり、電波の受信状態、現在時刻、内蔵電池１５の電池残量などを示すピクトグラム（絵文字）と、２以上のメニュー項目２が表示されている。
【００３０】
ピクトグラムは、画面上端部に形成されたピクト表示領域内に配置されている。メニュー項目２は、タッチ操作によって選択可能な表示オブジェクト、例えば、アイコンであり、文字列、記号、絵文字、図形などからなるシンボルによって表される。いずれかのメニュー項目２に対しタッチ操作を行うことにより、当該メニュー項目２に対応づけられたアプリケーションプログラムを起動することができる。アプリケーションプログラムの起動後は、当該アプリケーションプログラムが生成する画面が通常画面ＮＳとして表示され、アプリケーションプログラムの終了後は、再びプログラム選択画面が表示される。
【００３１】
図中の（ｂ）〜（ｄ）には、ロック状態Ｓ２において表示されるロック画面ＲＳ１〜ＲＳ３がそれぞれ示されている。携帯電話機１では、ロック状態Ｓ２のときにロック画面ＲＳ１〜ＲＳ３のいずれかがロック画面ＲＳとして表示される。ロック画面ＲＳ１〜ＲＳ３のいずれをロック画面ＲＳとして表示するのかは、内蔵電池１５の電池残量をハイレベル閾値Ｌ１及びローレベル閾値Ｌ２（Ｌ２＜Ｌ１）と比較した比較結果と、動作モードとに基づいて決定される。
【００３２】
ロック画面ＲＳ１は、従来のロック画面である。ロック画面ＲＳ２は、ロック解除と同時に省電力モードＥＭに切り替えることができるロック画面である。ロック画面ＲＳ３は、ロック解除と同時に通常モードＲＭに切り替えることができるロック画面である。
【００３３】
ロック画面ＲＳ１には、通常スライダー３のみが、タッチ操作によって選択可能な選択オブジェクトとして設けられているのに対し、ロック画面ＲＳ２には、通常スライダー３に加えて、省電力スライダー４が選択オブジェクトとして設けられている。
【００３４】
通常スライダー３は、ロック状態Ｓ２を解除するためのロック解除操作子であり、所定のタッチ操作、例えば、ドラッグ操作又はスライド操作によって左右方向に移動させることができるスライド部３ａを備えたアイコンからなる。ユーザは、通常スライダー３に対しドラッグ操作を行い、スライド部３ａを右へ移動させることにより、タッチパネル１１をロック状態Ｓ２から非ロック状態Ｓ３に遷移させ、通常画面ＮＳを表示させることができる。
【００３５】
省電力スライダー４は、ロック状態Ｓ２の解除と同時に動作モードを省電力モードＥＭに切り替えるためのロック解除操作子であり、通常スライダー３と同様のスライド部４ａを備えたアイコンからなる。ユーザは、省電力スライダー４に対しドラッグ操作を行い、スライド部４ａを右へ移動させることにより、タッチパネル１１をロック状態Ｓ２から非ロック状態Ｓ３に遷移させるとともに、動作モードを省電力モードＥＭに切り替えることができる。
【００３６】
ロック画面ＲＳ３には、通常スライダー３に加えて、省電力解除スライダー５が選択オブジェクトとして設けられている。省電力解除スライダー５は、ロック状態Ｓ２の解除と同時に動作モードを通常モードＲＭに切り替えるためのロック解除操作子であり、通常スライダー３と同様のスライド部５ａを備えたアイコンからなる。ユーザは、省電力解除スライダー５に対しドラッグ操作を行い、スライド部５ａを右へ移動させることにより、タッチパネル１１をロック状態Ｓ２から非ロック状態Ｓ３に遷移させるとともに、動作モードを通常モードＲＭに切り替えることができる。
【００３７】
上述したロック画面ＲＳ２は、動作モードが通常モードＲＭであり、かつ、電池残量がローレベル閾値Ｌ２以下である場合に、表示される。また、ロック画面ＲＳ３は、動作モードが省電力モードＥＭであり、かつ、電池残量がハイレベル閾値Ｌ１以上である場合に、表示される。
【００３８】
一方、ロック画面ＲＳ１は、その他の場合に表示される。すなわち、ロック画面ＲＳ１は、動作モードが省電力モードＥＭであり、かつ、電池残量がローレベル閾値Ｌ２以下である場合と、動作モードが通常モードＲＭであり、かつ、電池残量がハイレベル閾値Ｌ１以上である場合と、電池残量ＡｈがＬ２＜Ａｈ＜Ｌ１を満たす場合とに表示される。
【００３９】
ハイレベル閾値Ｌ１やローレベル閾値Ｌ２は、予め定められる。例えば、ハイレベル閾値Ｌ１には、内蔵電池１５の満充電レベルに近い値が指定され、ローレベル閾値Ｌ２には、プロセッサなどの動作限界レベル又は内蔵電池１５の放電終了レベルに近い値が指定される。
【００４０】
なお、ここでは、電池残量Ａｈを異なる２つのハイレベル閾値Ｌ１及びローレベル閾値Ｌ２と比較して、省電力スライダー４又は省電力解除スライダー５のいずれかを表示するものとしたが、１つの判定閾値Ｌによっていずれのロック解除操作子を表示するのかを判別するような構成であっても良い。
【００４１】
図４は、図１の携帯電話機１内の機能構成の一例を示したブロック図である。この携帯電話機１は、タッチパネルセンサ１１ａ、表示装置１１ｂ、レシーバ１２、マイクロホン１３、操作キー１４ａ〜１４ｃ、プロセッサ２０、セルラー通信部２１、電池残量検出部２２、周辺回路２３、音声処理部２４及びメモリ２５により構成される。
【００４２】
表示装置１１ｂは、ＬＣＤ３１及びバックライト３２からなる。ＬＣＤ３１は、透過型の液晶表示パネルであり、バックライト３２を点灯させることにより画像表示を行うことができる。つまり、スリープ状態Ｓ１では、バックライト３２を消灯させ、ロック状態Ｓ２や非ロック状態Ｓ３では、バックライト３２を点灯させている。また、表示装置１１ｂの明るさは、バックライト３２の輝度によって調整される。
【００４３】
プロセッサ２０は、通話制御などの主要な制御を行う主制御部である。セルラー通信部２１は、セルラー基地局を介して外部機器と通信し、通信相手と通話を行うための移動体通信部である。電池残量検出部２２は、内蔵電池１５の電池残量Ａｈを検出し、その検出結果をプロセッサ２０へ出力する。例えば、電池残量Ａｈは、内蔵電池１５の出力電圧Ｖに基づいて検知される。
【００４４】
音声処理部２４は、マイクロホン１３により集音された音声信号を増幅し、デジタルデータに変換してプロセッサ２０へ出力する一方、プロセッサ２０から出力された音声データをアナログ信号に変換して駆動信号を生成し、レシーバ１２へ出力する。メモリ２５には、プロセッサ２０の制御プログラムや、プロセッサ２０が用いるデータが保持される。メモリ２５には、揮発性のＲＡＭや不揮発性のＲＯＭの他、フラッシュメモリなどの半導体記憶素子、或いは、ＨＤＤ（ハードディスクドライブ）などの磁気記憶装置が用いられる。
【００４５】
周辺回路２３は、ＷＬＡＮ通信部、近距離無線通信部、ＧＰＳ受信部、歩数計などのデバイスからなる。ＷＬＡＮ通信部は、アクセスポイントとの間で無線通信を行う通信制御部である。近距離無線通信部は、近距離無線通信用の電波を利用して外部機器との間で無線通信を行う通信制御部である。例えば、近距離無線通信部は、ブルートゥース（Bluetooth：登録商標）制御部からなる。ＧＰＳ受信部は、位置情報を取得するために、ＧＰＳ（Global Positioning System：全地球測位システム）衛星から送信される測位信号を受信する。歩数計は、ユーザの歩数を計測する。
【００４６】
＜プロセッサ２０＞
図５は、図４のプロセッサ２０の構成例を示したブロック図である。このプロセッサ２０は、第１のロック解除部１０１、第２のロック解除部１０２、第３のロック解除部１０３、モード切替部１０４、閾値記憶部１０５、表示制御部１０６及び充電状態判別部１０７により構成される。
【００４７】
モード切替部１０４は、ユーザ操作に基づいて、動作モードを通常モードＲＭ及び省電力モードＥＭ間で切り替える。表示制御部１０６は、非ロック状態Ｓ３では、プログラム選択画面などの通常画面ＮＳをタッチパネル１１の表示面に表示し、ロック状態Ｓ２では、ロック画面ＲＳ１〜ＲＳ３のいずれかを表示面に表示するための画面データを生成する。
【００４８】
第１のロック解除部１０１は、ロック画面ＲＳ１〜ＲＳ３上の通常スライダー３に対するユーザ操作に基づいて、タッチパネル１１を非ロック状態Ｓ３に遷移させる。第２のロック解除部１０２は、ロック画面ＲＳ３上の省電力解除スライダー５に対するユーザ操作に基づいて、タッチパネル１１を非ロック状態Ｓ３に遷移させるとともに、動作モードを通常モードＲＭに切り替えるべくモード切替部１０４を制御する。
【００４９】
第３のロック解除部１０３は、ロック画面ＲＳ２上の省電力スライダー４に対するユーザ操作に基づいて、タッチパネル１１を非ロック状態Ｓ３に遷移させるとともに、動作モードを省電力モードＥＭに切り替えるべくモード切替部１０４を制御する。
【００５０】
表示制御部１０６は、電池残量Ａｈ及び動作モードに基づいて、省電力スライダー４又は省電力解除スライダー５のいずれか一方をロック画面ＲＳ上に表示する。具体的には、電池残量Ａｈをハイレベル閾値Ｌ１及びローレベル閾値Ｌ２と比較した比較結果と動作モードとに基づいて、省電力スライダー４又は省電力解除スライダー５のいずれか一方をロック画面ＲＳ上に表示する。閾値記憶部１０５には、ハイレベル閾値Ｌ１及びローレベル閾値Ｌ２が保持される。
【００５１】
充電状態判別部１０７は、内蔵電池１５が充電中であるか否かを判別し、その判別結果を表示制御部１０６へ出力する。例えば、内蔵電池１５が充電中であるか否かは、充電端子の電圧レベルに基づいて判別される。
【００５２】
内蔵電池１５が充電中であれば、外部からの電源供給を利用することができるので、現時点で電池残量Ａｈが少なくても、電力消費を抑制すべき緊急性が低い。そこで、表示制御部１０６では、電池残量Ａｈをハイレベル閾値Ｌ１及びローレベル閾値Ｌ２と比較した比較結果と、内蔵電池１５が充電中であるか否かの判別結果とに基づいて、省電力スライダー４又は省電力解除スライダー５のいずれか一方をロック画面ＲＳ上に表示する。
【００５３】
具体的には、省電力モードＥＭであり、かつ、電池残量Ａｈがハイレベル閾値Ｌ１以上である場合と、省電力モードＥＭであり、かつ、内蔵電池１５が充電中である場合とに、省電力解除スライダー５をロック画面ＲＳ上に表示する。すなわち、これらの場合には、ロック画面ＲＳ３が表示される。
【００５４】
また、通常モードＲＭであり、かつ、電池残量Ａｈがローレベル閾値Ｌ２以下であり、かつ、内蔵電池１５が充電中でない場合に、省電力スライダー４をロック画面ＲＳ上に表示する。すなわち、この場合には、ロック画面ＲＳ２が表示される。
【００５５】
また、省電力モードＥＭであり、かつ、電池残量Ａｈがハイレベル閾値Ｌ１未満であり、かつ、内蔵電池１５が充電中でない場合と、通常モードＲＭであり、かつ、電池残量Ａｈがローレベル閾値Ｌ２以下であり、かつ、内蔵電池１５が充電中である場合と、通常モードＲＭであり、かつ、電池残量Ａｈがローレベル閾値Ｌ２よりも多い場合とに、通常スライダー３のみをロック画面ＲＳ上に表示する。すなわち、これらの場合には、ロック画面ＲＳ１が表示される。
【００５６】
図６のステップＳ１０１〜Ｓ１０６は、図５のプロセッサ２０におけるロック画面の表示処理の一例を示したフローチャートであり、動作モードが通常モードＲＭである場合の処理手順が示されている。まず、スリープ状態Ｓ１から復帰した後、表示制御部１０６は、ロック画面ＲＳ１をタッチパネル１１の表示面に表示する（ステップＳ１０１）。次に、充電状態判別部１０７は、内蔵電池１５の充電状態を確認し、充電中であれば、この処理を終了する（ステップＳ１０２，Ｓ１０３）。
【００５７】
一方、内蔵電池１５が充電中でなければ、表示制御部１０６は、内蔵電池１５の電池残量Ａｈを確認し（ステップＳ１０３，Ｓ１０４）、電池残量Ａｈがローレベル閾値Ｌ２以下であれば、ロック画面ＲＳ１に代えてロック画面ＲＳ２を表示面に表示する（ステップＳ１０５，Ｓ１０６）。
【００５８】
ロック画面ＲＳ２では、通常スライダー３に加えて省電力スライダー４が表示されるので、ロック解除のみ行うのか、或いは、ロック解除と同時に動作モードを省電力モードＥＭに切り替えるのかをユーザは選択することができる。
【００５９】
図７のステップＳ２０１〜Ｓ２０６は、図１の携帯電話機１におけるロック画面の表示処理の一例を示したフローチャートであり、動作モードが省電力モードＥＭである場合の処理手順が示されている。まず、スリープ状態Ｓ１から復帰した後、表示制御部１０６は、ロック画面ＲＳ１をタッチパネル１１の表示面に表示する（ステップＳ２０１）。次に、充電状態判別部１０７は、内蔵電池１５の充電状態を確認し、充電中であれば、ステップＳ２０６の処理手順へ移行する（ステップＳ２０２，Ｓ２０３）。
【００６０】
一方、内蔵電池１５が充電中でなければ、表示制御部１０６は、内蔵電池１５の電池残量Ａｈを確認し（ステップＳ２０３，Ｓ２０４）、電池残量Ａｈがハイレベル閾値Ｌ１以上であれば、ロック画面ＲＳ１に代えてロック画面ＲＳ３を表示面に表示する（ステップＳ２０５，Ｓ２０６）。
【００６１】
ロック画面ＲＳ３では、通常スライダー３に加えて省電力解除スライダー５が表示されるので、ロック解除のみ行うのか、或いは、ロック解除と同時に動作モードを通常モードＲＭに切り替えるのかをユーザは選択することができる。
【００６２】
本実施の形態によれば、内蔵電池１５の電池残量Ａｈと動作モードとに応じて、省電力解除スライダー５がロック画面ＲＳ上に表示されるので、動作モードが省電力モードＥＭであり、かつ、十分な電池残量Ａｈがある場合に、省電力解除スライダー５をロック画面ＲＳに表示させることができる。この場合、煩雑なユーザ操作を行わなくても、省電力解除スライダー５に対し所定の操作を行うことにより、ロック解除と共に動作モードを通常モードＲＭに切り替えることができる。また、通常スライダー３に加えて省電力解除スライダー５が表示されるので、ユーザは、ロック解除のみ行うのか、或いは、ロック解除と共に動作モードを通常モードＲＭに切り替えるのかを選択することができる。
【００６３】
なお、本実施の形態では、電池残量Ａｈがハイレベル閾値Ｌ１以上であるか、或いは、内蔵電池１５が充電中であれば省電力解除スライダー５をロック画面ＲＳ上に表示する場合の例について説明したが、本発明は、省電力解除スライダー５の表示条件をこれに限定するものではない。例えば、電池残量Ａｈがハイレベル閾値Ｌ１以上であり、かつ、内蔵電池１５が充電中である場合にのみ、省電力解除スライダー５をロック画面ＲＳ上に表示するような構成であっても良い。
【００６４】
また、本実施の形態では、携帯電話機１に本発明を適用する場合の例について説明したが、本発明は、通信機能を有する端末装置に限らず、通信機能を有しない端末装置、例えば、タブレット端末やＰＤＡにも適用することができる。
【００６５】
また、本実施の形態では、非ロック状態Ｓ３においてプログラム選択画面がタッチパネル１１の表示面に表示される場合の一例について説明したが、本発明は、非ロック時に通常画面ＮＳとして表示されるメニュー画面をこれに限定するものではない。例えば、電子書籍などのコンテンツデータを選択するためのコンテンツ選択画面を非ロック状態Ｓ３においてタッチパネル１１の表示面に表示するような構成であっても良い。
【００６６】
本発明の実施の形態による携帯情報端末の構成と対応する作用効果とを以下に整理してまとめる。
第１の本発明による携帯情報端末は、通常モードＲＭ及び通常モードＲＭよりも消費電力を低減させた省電力モードＥＭ間で動作モードを切替可能な携帯情報端末であって、表示面上に画像を表示するとともに、表示面へのタッチ操作を検出するタッチパネル１１と、非ロック状態Ｓ３では、アプリケーションプログラム又はコンテンツデータを選択するためのメニュー画面を表示面に表示し、ロック状態Ｓ２では、ロック画面ＲＳを表示面に表示する表示制御部１０６と、ロック画面ＲＳ上の通常スライダー３に対するユーザ操作に基づいて、タッチパネル１１を非ロック状態Ｓ３に遷移させる第１のロック解除部１０１と、ロック画面ＲＳ上の省電力解除スライダー５に対するユーザ操作に基づいて、タッチパネル１１を非ロック状態Ｓ３に遷移させるとともに、動作モードを通常モードＲＭに切り替える第２のロック解除部１０２と、内蔵電池１５の電池残量Ａｈを検出する電池残量検出部２２とを備え、表示制御部１０６が、電池残量Ａｈ及び動作モードに基づいて、省電力解除スライダー５をロック画面ＲＳ上に表示するように構成される。
【００６７】
この様な構成によれば、内蔵電池１５の電池残量Ａｈと動作モードとに応じて、省電力解除スライダー５がロック画面ＲＳ上に表示されるので、動作モードが省電力モードＥＭであり、かつ、十分な電池残量Ａｈがある場合に、省電力解除スライダー５をロック画面ＲＳに表示させることができる。この場合、煩雑なユーザ操作を行わなくても、省電力解除スライダー５に対し所定の操作を行うことにより、ロック解除と共に動作モードを通常モードＲＭに切り替えることができる。また、通常スライダー３に加えて省電力解除スライダー５が表示されるので、ユーザは、ロック解除のみ行うのか、或いは、ロック解除と共に動作モードを通常モードＲＭに切り替えるのかを選択することができる。
【００６８】
第２の本発明による携帯情報端末は、上記構成に加え、ロック画面ＲＳ２上の省電力スライダー４に対するユーザ操作に基づいて、タッチパネル１１を非ロック状態Ｓ３に遷移させるとともに、動作モードを省電力モードＥＭに切り替える第３のロック解除部１０３を備え、表示制御部１０６が、電池残量Ａｈ及び動作モードに基づいて、省電力スライダー４及び省電力解除スライダー５のいずれか一方をロック画面ＲＳ上に表示するように構成される。この様な構成によれば、動作モードが省電力モードＥＭであり、かつ、十分な電池残量Ａｈがある場合には、省電力解除スライダー５をロック画面ＲＳに表示させ、動作モードが通常モードＲＭであり、かつ、電池残量Ａｈが少ない場合には、省電力スライダー４をロック画面ＲＳに表示させことができる。省電力スライダー４に対し所定の操作を行うことにより、ロック解除と共に動作モードを省電力モードＥＭに切り替えることができる。
【００６９】
第３の本発明による携帯情報端末は、上記構成に加え、表示制御部１０６が、電池残量Ａｈをハイレベル閾値Ｌ１及びハイレベル閾値Ｌ１よりも小さいローレベル閾値Ｌ２と比較した比較結果に基づいて、省電力スライダー４及び省電力解除スライダー５のいずれか一方をロック画面ＲＳ上に表示するように構成される。この様な構成によれば、電池残量Ａｈがハイレベル閾値Ｌ１以上である場合にだけ省電力解除スライダー５をロック画面ＲＳに表示させ、電池残量Ａｈがローレベル閾値Ｌ２以下である場合にだけ省電力スライダー４をロック画面ＲＳに表示させることができる。
【００７０】
第４の本発明による携帯情報端末は、上記構成に加え、内蔵電池１５が充電中であるか否かを判別する充電状態判別部１０７を備え、表示制御部１０６が、電池残量Ａｈをハイレベル閾値Ｌ１及びローレベル閾値Ｌ２と比較した比較結果と、内蔵電池１５が充電中であるか否かの判別結果とに基づいて、省電力スライダー４及び省電力解除スライダー５のいずれか一方をロック画面ＲＳ上に表示するように構成される。この様な構成によれば、内蔵電池１５が充電中である場合には、省電力スライダー４を表示させないようにすることができる。
【００７１】
第５の本発明による携帯情報端末は、上記構成に加え、表示制御部１０６が、省電力モードＥＭであり、かつ、電池残量Ａｈがハイレベル閾値Ｌ１以上である場合と、省電力モードＥＭであり、かつ、内蔵電池１５が充電中である場合とに、省電力解除スライダー５をロック画面ＲＳ３上に表示するように構成される。この様な構成によれば、十分な電池残量Ａｈがあるか、或いは、内蔵電池１５が充電中であるにもかかわらず、省電力モードＥＭが維持され続けるのを抑制することができる。
【符号の説明】
【００７２】
１  携帯電話機
１１  タッチパネル
２０  プロセッサ
２１  セルラー通信部
２２  電池残量検出部
２３  周辺回路
１０１  第１のロック解除部
１０２  第２のロック解除部
１０３  第３のロック解除部
１０４  モード切替部
１０５  閾値記憶部
１０６  表示制御部
１０７  充電状態判別部
３  通常スライダー
４  省電力スライダー
５  省電力解除スライダー
【図１】
2014137753.tif 000003
【図２】
2014137753.tif 000004
【図３】
2014137753.tif 000005
【図４】
2014137753.tif 000006
【図５】
2014137753.tif 000007
【図６】
2014137753.tif 000008
【図７】
2014137753.tif 000009